(57)【特許請求の範囲】
【請求項１】
基部と該基部より突出した複数の歯片とを有して断面櫛歯状とされ、前記歯片間に上下方向に水が流通する流路を備えており、
雨水の一部が前記歯片の上端を伝って基部側へと流れていくように、前記歯片の上端が、開放端側が前記基部側よりも高くなるように傾斜していることを特徴とする雨樋。
【請求項２】
請求項１において、
上端部には、前記歯片のうちの幅方向の両側端片と前記基部とが上方に延出したコ字状の集水部が形成されていることを特徴とする雨樋。
【請求項３】
請求項１または２において、
前記基部の両側端に、背面が略面一となるように、相互に離れるようにフランジ片が突出形成されていることを特徴とする雨樋。
【請求項４】
請求項１〜３のいずれか１項において、
竪樋として用いられることを特徴とする雨樋。
【発明の詳細な説明】
【技術分野】
【０００１】
本発明は雨樋に関する。
【背景技術】
【０００２】
従来の竪樋の多くのものは、円筒または角筒形状である。この種の竪樋の（最大）排水量の計算には、トリチェリーの式を使用することができる。その式には、流量係数が有効断面積に対して乗算する係数として与えられており、一般的には、流量係数は０．６とされている。すなわち、竪樋の横断面の断面積の少なくとも４０％は雨水が流れず、空気の逃げ道となっている。これは、排水口（竪樋の上部の入り口近傍）で気泡やうずなどの発生により、空気が入り込むからである。この程度の空気が流通しなければ、雨水はスムーズに流れない。
【０００３】
したがって、雨水の流通量が断面積の６０％を超えるほどの大量の雨が降った場合、竪樋の上端部の入り口で雨水が溢れ出るおそれがある。また、周壁により内部が見えないため、ごみ詰まりを発見しにくく、詰まった場合の掃除もしにくいという問題がある。
【０００４】
一方、従来の竪樋には上記形状のものの他に、玄関先などで高級感を創出するために設置されるくさり竪樋がある（たとえば、特許文献１参照）。くさり竪樋は、複数に連ねた鎖部材に雨水を伝わせ落下させる構造であり、筒体ではなく周囲が開放されているため、空気の逃げ道を考慮する必要はないし、ごみ詰まりに苦慮する必要はない。
【先行技術文献】
【特許文献】
【０００５】
【特許文献１】特開２０１０−１５０８３４号公報
【発明の概要】
【発明が解決しようとする課題】
【０００６】
しかしながら、建物に設置する竪樋のすべてをくさり竪樋にすることはできない。そもそも、くさり竪樋は、大量の雨水が流れた場合に水が溢れ出ても問題がないように、周囲に壁などの構造物がない箇所で吊り下げ設置されるようになっている。したがって、壁面に近づけて吊り下げ設置した場合には、雨水が壁面にも飛散し、くさり竪樋の後方に位置する壁面の一部に、雨水の飛散による集中的な汚れが生じるおそれがある。
【０００７】
本発明は、このような事情を考慮して提案されたもので、その目的は、従来の円筒または角筒形状の筒型の雨樋（竪樋）に代えて使用できる新規な雨樋を提供することにある。
【課題を解決するための手段】
【０００８】
このような目的を達成するために、請求項１に記載の雨樋は、基部と基部より突出した複数の歯片とを有して断面櫛歯状とされ、歯片間に上下方向に水が流通する流路を備えており、雨水の一部が歯片の上端を伝って基部側へと流れていくように、歯片の上端が、開放端側が基部側よりも高くなるように傾斜していることを特徴とする。
【００１０】
請求項２に記載の雨樋は、上端部には、歯片のうちの幅方向の両側端片と前記基部とが上方に延出したコ字状の集水部が形成されていることを特徴とする。
【００１１】
請求項３に記載の雨樋は、基部の両側端に、背面が略面一となるように、フランジ片が相互に離れるように突出形成されていることを特徴とする。
【００１２】
請求項４に記載の雨樋は、竪樋として用いられることを特徴とする。
【発明の効果】
【００１３】
請求項１に記載された雨樋によれば、上述の構成となっているため、従来の筒型の竪樋に代えて使用することができる。すなわち、雨樋は断面が櫛歯状となるよう形成してあるため、一方の側面が開放された状態となり、そのため竪樋に使用した場合に空気の逃げ道を考慮する必要がない。大量の雨水が流れてきてオーバーフローした場合でも、開放された側面より雨水が溢れ出るだけなので、上端部の雨水の入り口でのオーバーフローが発生する可能性は低い。また、開放された側面を前方に向けて設置すれば、内部が見やすく、ごみ詰まりがあってもすぐに発見することができ、すぐにごみを取り除くこともできる。
【００１４】
さらに請求項１に記載の雨樋によれば、上述した構成となっているため、竪樋に使用した場合に上端部で基部側に雨水を誘導でき、そのため雨水を流路の基部側に流通させることができる。その結果、雨水の開放側面側へのオーバーフロー量を少なくすることができる。
【００１５】
請求項２に記載の雨樋によれば、上述した構成となっているため、竪樋に使用した場合に上端部で雨水を集めやすく、多くの雨水をスムーズに流すことができる。
【００１６】
請求項３に記載の雨樋によれば、上述した構成となっているため、竪樋に使用した場合に、フランジ片で、背面側の壁などの構造物に固定具止めすることができ、竪樋として簡易に取り付けすることができる。
【００１７】
請求項４に記載の雨樋によれば、竪樋として用いられるため、一方が開放されたことにより、樋内への空気の流通を考慮する必要がなく、効果的に利用され得る。
【図面の簡単な説明】
【００１８】
【図１】（ａ）は本発明の一実施形態に係る雨樋の一部を省略した断面斜視図、（ｂ）は雨樋の取付状態を示す拡大横断面図である。
【図２】（ａ）（ｂ）は、雨樋を流れる雨水の量を表した横断面図である。
【図３】（ａ）は雨樋の上端部の部分斜視図、（ｂ）は雨樋の上端部を縦断面で示した部分側面図である。
【発明を実施するための形態】
【００１９】
以下に、本発明の一実施形態に係る雨樋について、添付図面にもとづいて説明する。
【００２０】
本雨樋１０は、おもに竪樋に使用され、基部１２と基部１２より突出した複数の歯片１１とを有して断面櫛歯状とされ、歯片１１、１１間に上下方向に水が流通する流路１４を備えている（図１参照）。以下、詳述する。
【００２１】
図１（ａ）（ｂ）に示すように、この雨樋１０は、横断面が櫛歯状であり、基部１２と、複数の歯片１１のうちの両側端片１３、１３とで外殻が略コ字状に形成されている。本実施形態では、雨樋１０は、基部１２の外面を壁面３に添わせるようにして取り付けられる。よって、基部１２側を後方、両側端片１３、１３の開放端側を前方とする。
【００２２】
両側端片１３、１３間には、基部１２より前方に突出するように、ほぼ等間隔に配列された他の複数の歯片１１、１１が形成されている。両側端片１３、１３は両側端片１３、１３間の歯片１１（以下、たんに歯片１１という）の先端よりも少し長く突出している。
【００２３】
また、基部１２の両側端には、背面が略面一となるように、相互に離れるように両フランジ片１８、１８が突出形成されている。このフランジ片１８は、雨樋１０を竪樋として用いる場合に壁面３に添わせるように配することができる、釘打ちなどに用いられる固定片である。フランジ片１８には、固定具５打ち込み用の挿通孔１８ａが開設されている。
【００２４】
上述したように、歯片１１、１１間には上下に延びた流路１４が形成されており、側端片１３と、それに隣接する歯片１１との間にも、歯片１１、１１間の流路１４よりもやや幅広な流路１４が形成されている。
【００２５】
この雨樋１０は、竪樋として、フランジ片１８を介して固定具５で壁面３に固定することで、基部１２の裏面が建物の壁面３に接するように配することができる。こうして、各流路１４の上から下へと雨水を流すことができる。
【００２６】
また、雨樋１０の両側にフランジ片１８が形成されているため、雨樋１０を竪樋として簡易に取り付けることができる。また、一方のフランジ片１８から他のフランジ片１８までの背面側が面一に形成されているため、雨樋１０の裏面を壁面３に密着させてほとんど隙間なく取り付けることができる。
【００２７】
雨水が流路１４の基部１２側（後部側）を集中的に流れる場合には、雨水は、その量により、たとえば図２（ａ）（ｂ）に示すように、基部１２の前端から２点鎖線までのクロスハッチングで示した横断面部を埋めるように流れる。雨水の量が少量であっても大量であっても、前方側（歯片１１の開放端１１ａ側）が開放されているため、雨水は大量の空気に接しながらスムーズに下方に流れていく。
【００２８】
また、さらに大量の雨水がこの雨樋１０の上端部１５（図３参照）に流れてきた場合には、雨水は流路１４から図２（ｂ）に白抜き矢印で示した方向に溢れ出るおそれがある。しかし、雨水は前方へ溢れ出るから、流路１４内で詰まったり滞留したりすることはない。このように大量の雨水が流れてきたときは前方へオーバーフローするが、流れが滞らないため、上端部１５（集水部１７）（図３参照）での雨水のオーバーフローは発生しにくい。また、側端片１３が歯片１１よりも前方に突出しているため、前方へオーバーフローした雨水が横方向に飛び出す可能性もあまりない。
【００２９】
このように雨水の溢れ出はほぼ前方のみに集中するので、溢れ出た雨水が基部１２と壁面３との間に流れ込む可能性はほとんどない。そのため、基部１２の背面側の壁面３に、雨水による集中的な汚れが発生したり、雨水の付着により壁面３の劣化が早まったりすることを防止することができる。
【００３０】
また、流路１４を有効に利用し、かつ前方へのオーバーフロー水を多く発生させないためには、雨水を、その後方に空気を含まないように、流路１４の基部１２側に流すようにすることが望ましい。流路１４内において空気が雨水の基部１２側に入り込むと、その空気が雨水を前方に押し出すおそれもある。
【００３１】
このように雨水を流路１４の基部１２側を通過させるためには、雨樋１０の上端部１５を図３に示すような構造とすることが望ましい。図３を参照しながら、雨樋１０の上端部１５における集水構造について説明する。
【００３２】
この雨樋１０（竪樋）の上端部１５は、基部１２と両側端片１３、１３とが、歯片１１を囲うように、歯片１１よりも高く突出して集水部１７を構成している。このコ字壁１６で囲まれた空間に、軒樋（不図示）などから雨水が流れ込むようになっている。この集水部１７の空間の深さ（容量）は、この集水部１７に集まってくる雨水の最大量および流路１４の許容流量を想定して定めればよい。
【００３３】
雨樋１０は、このように上端部１５に集水部１７が設けてあるため、雨水を集めやすく、多くの雨水をスムーズに下方へ流すことができる。
【００３４】
また、図３（ｂ）に示すように、歯片１１の上端１１ｂは、開放端１１ａ側が基部１２側よりも高くなるように傾斜した形状となっている。歯片１１の上端１１ｂがこのような傾斜形状となっているので、雨水の一部は歯片１１の上端１１ｂを伝って基部１２側へと流れていく。その結果、雨水は図２（ａ）（ｂ）に示したように、流路１４の基部１２側に集中して流れるようになる。なお、集水部１７において、雨水を基部１２側にさらに集中させるために、歯片１１の上端において、厚みを厚くした幅広の誘導路を設けてもよいし、歯片１１の上端における開放端１１ａ側の流路１４の入り口の一部を塞ぐようにしてもよい。
【００３５】
以上のように、本雨樋１０によれば、上述した構成となっているため、一方の側面（上述の例では前方側）が開放された状態となる。そのため、空気の逃げ道を考慮する必要がない。また、大量の雨水が流れてきてオーバーフローした場合でも、開放された側面より雨水が溢れ出るだけなので、上端部１５の集水部１７での雨水のオーバーフローが発生する可能性は低い。また、開放端１１ａを前方に向けて設置すれば、正面より流路１４を見ることができ、ごみ詰まりがあってもすぐに発見することができ、またごみをすぐに取り除くこともできる。
【００３６】
したがって、この雨樋１０は、従来の筒型の竪樋の代わりに使用することができる。もちろん、開放端１１ａ側を上方に向けて這樋としても利用でき、さらに軒樋として利用してもよい。
【符号の説明】
【００３７】
１０          雨樋
１１          歯片
１１ａ        開放端
１１ｂ        上端
１２          基部
１３          側端片
１４          流路
１５          上端部
１６          コ字壁
１７          集水部
１８          フランジ片
１８ａ        挿通孔
３            壁面
５            固定具
【要約】
【課題】従来の筒型の雨樋に代えて使用できる新規な雨樋を提供する。
【解決手段】雨樋１０は、基部１２と基部１２より突出した複数の歯片１１とを有して断面櫛歯状とされ、歯片１１、１１間に上下方向に水が流通する流路１４を備えている。このような形状とすることで、歯片１１の先端側に相当する雨樋の一方の側面が、流路１４が空気に接するように開放されている。
【選択図】図１【図１】
0006035394.tif 000002
【図２】
0006035394.tif 000003
【図３】
0006035394.tif 000004